(57)【要約】【課題】【解決手段】本発明は手錠状部分の間にて３６０°の回転を可能にし且つ手錠状部分を互いにコンパクトな位置に折り畳むことを許容する自在継手及び連結機構システム７２により接続された１対の手錠型ロック１０を提供する。本発明は各々が１つ又は２つ以上のタンブラピンを受け入れる複数の整合穴を有する回転可能なプラグ及び固定のプラグを有する押ボタンシリンダロックを更に提供する。押ボタンシリンダロックは、ハウジング内に摺動可能に取り付けられた非回転可能な押ボタン軸を更に有している。１つ又は２つ以上の回り止めピンが押ボタン軸の錠止へこみ部に係合する。【選択図】図１
2004536980.tif 000002
【特許請求の範囲】
【請求項１】
自転車のような個人用物品を固定物に固定する手錠型ロックにおいて、
第一及び第二の手錠状部分を備え、
該第一及び第二の手錠状部分の各々が、ハウジングに取り付けられた静止アームと、該静止アームに枢動可能に接続されて、ラチェット付き端部を有する旋回アームとを更に備え、
前記ハウジングの各々が、旋回アームのラチェット付き端部を受け入れる穴を更に備え、
前記ハウジングの各々が、ラチェット付き端部に係合する第一の端部と、ロックシリンダの軸に係合する肩部とを有するばね取り付け式錠止レバーを更に備える、手錠型ロック。
【請求項２】
請求項１のロックにおいて、ロックシリンダの軸が、第一の位置から第二の位置まで軸方向に摺動可能である、ロック。
【請求項３】
請求項１のロックにおいて、前記ハウジングの各々が、該ハウジング内に回転可能に取り付けられた自在旋回部を更に備える、ロック。
【請求項４】
請求項１のロックにおいて、前記自在旋回部が連結機構により互いに接続される、ロック。
【請求項５】
請求項１のロックにおいて、前記ロックシリンダが押ボタンによって作動される、ロック。
【請求項６】
請求項１のロックにおいて、前記第一及び第二の手錠状部分の前記ハウジングが，連結機構により接続される、自在旋回部を更に備える、ロック。
【請求項７】
請求項１のロックにおいて、前記ロックシリンダの前記軸が、前記錠止レバーに係合する第一の位置から前記錠止レバーから非係合状態となる第二の位置まで回転可能である、ロック。
【請求項８】
（国際出願時の原文に記載なし）
【請求項９】
（国際出願時の原文に記載なし）
【請求項１０】
シリンダロックにおいて、
内部に回転可能に配置された回転可能なプラグを有するハウジングであって、該ハウジング固定された固定のプラグを有する前記ハウジングと、
該ハウジング内に摺動可能に取り付けられ且つ錠止位置と非錠止位置との間を摺動可能な非回転可能な軸であって、前記ハウジングの一端から伸びる作動端部と、前記ハウジングの他端から伸びる掛止端部とを有する前記非回転可能な軸と、
該非回転可能な軸と係合し得るように配置された１つ又は２つ以上の保持エレメントとを備える、シリンダロック。
【請求項１１】
請求項１０のシリンダロックにおいて、前記固定のプラグ及び前記回転可能なプラグの１つ又は２つ以上の軸方向に整合した穴内に受け入れられた１つ又は２つ以上のタンブラピンを更に備える、シリンダロック。
【請求項１２】
請求項１０のシリンダロックにおいて、前記１つ又は２つ以上の保持ピンが前記回転可能なプラグの半径方向穴内に取り付けられる、シリンダロック。
【請求項１３】
請求項１０のシリンダロックにおいて、約１４４乃至約１８０°隔てた範囲に取り付けられた２つ又はより多くの保持エレメントを備える、シリンダロック。
【請求項１４】
請求項１０のシリンダロックにおいて、ばねが前記軸を非錠止め位置に偏倚させる、シリンダロック。
【請求項１５】
請求項１０のシリンダロックにおいて、前記軸に固定状態に接続されたアクチュエータであって、前記固定のプラグの軸方向溝内に受け入れ得るように整合され、これにより、前記軸及びアクチュエータの回転が阻止されるようにする脚部を更に有する前記アクチュエータを更に備える、シリンダロック。
【請求項１６】
請求項１０のシリンダロックにおいて、前記１つ又は２つ以上の保持エレメントが、前記軸が作動されたとき、前記軸の溝内に受け入れられる、シリンダロック。
〔請求項１６〕
シリンダロックにおいて、
内部に回転可能に配置された回転可能なプラグを有するハウジングであって、該ハウジング固定された固定のプラグを有する前記ハウジングと、
該ハウジング内に摺動可能に取り付けられ且つ錠止位置と非錠止位置との間を摺動可能な軸であって、前記ハウジングの一端から伸びる作動端部と、前記ハウジングの他端から伸びる掛止端部とを有する前記軸と、
該非回転可能な軸の１つ又は２つ以上の整合溝と係合し得るように配置された１つ又は２つ以上の保持エレメントとを備え、回転可能なプラグの回転により保持エレメントが前記１つ又は２つ以上の溝から非係合状態となるようにした、シリンダロック。
【請求項１７】
請求項１６のシリンダロックにおいて、前記固定のプラグ及び前記回転可能なプラグの１つ又は２つ以上の軸方向に整合した穴内に受け入れられた１つ又は２つ以上のタンブラピンを更に備える、シリンダロック。
【請求項１８】
請求項１６のシリンダロックにおいて、前記１つ又は２つ以上の保持エレメントが前記回転可能なプラグの半径方向穴内に取り付けられる、シリンダロック。
【請求項１９】
請求項１６のシリンダロックにおいて、約９０乃至約１８０°隔てた範囲に取り付けられた２つ又はより多くの保持エレメントを備える、シリンダロック。
【請求項２０】
請求項１６のシリンダロックにおいて、ばねが前記軸を非錠止位置に偏倚させる、シリンダロック。
【請求項２１】
請求項１６のシリンダロックにおいて、前記軸に固定状態に接続されたアクチュエータであって、前記固定のプラグの軸方向溝内に受け入れ得るように整合され、これにより、前記軸及びアクチュエータの回転が阻止されるようにする脚部を更に有する前記アクチュエータを更に備える、シリンダロック。
【請求項２２】
請求項１６のシリンダロックにおいて、前記軸が作動されたとき、前記１つ又は２つ以上の保持ピンが、前記軸の溝内に受け入れられる、シリンダロック。
【請求項２３】
請求項１０のシリンダロックにおいて、回転可能なプラグが、１つ又は２つ以上の鋸引き抵抗ピンを更に備える、シリンダロック。
【請求項２４】
請求項１６のシリンダロックにおいて、回転可能なプラグが、１つ又は２つ以上の鋸引き抵抗ピンを更に備える、シリンダロック。
【請求項２５】
請求項１６のシリンダロックにおいて、軸の作動端部がボールベアリングを更に備える、シリンダロック。
【請求項２６】
請求項１０のシリンダロックにおいて、軸の作動端部がボールベアリングを更に備える、シリンダロック。
【請求項２７】
請求項１の手錠型ロックにおいて、前記錠止シリンダが内部に回転可能に配置された回転可能なプラグを有するハウジングであって、該ハウジング固定された固定のプラグを有する前記ハウジングを更に備え、
該ハウジング内に摺動可能に取り付けられ且つ錠止位置と非錠止位置との間を摺動可能な非回転可能な軸であって、前記ハウジングの一端から伸びる作動端部と、前記ハウジングの他端から伸びる掛止端部とを有する前記非回転可能な軸と、
該非回転可能な軸の肩部と係合し得るように配置された１つ又は２つ以上の保持エレメントとを更に備える、手錠型ロック。
【発明の詳細な説明】
【発明の背景】
【０００１】
本発明は、自転車のような個人用物品又は持運び型コンピュータのようなその他の個人用物品を固定するための改良された設計を提供する。従来の技術の自転車用ロックは、典型的に、金属製であり、全体として、寸法が大きい大型の非可撓性のＵ字形をしている。更に、従来の技術の自転車用ロックは、全体として、ロックを施錠し且つ開錠する双方のため鍵を必要とする。従来の技術の自転車用ロックにおける別の不利益な点は、ロックを操作するため両手を必要とする点である。従来の技術の自転車用ロックにおける更に別の不利益な点は、固定すべき物品を受け入れるために寸法が調節できない点である。このように、上述した不利益な点を解消する改良された自転車用ロックが望まれる。
【０００２】
本発明は、押ボタン式シリンダロックの改良された設計を更に提供するものである。従来の技術のシリンダロックは、典型的に、鋸引きによる攻撃、及びピンを離脱させることを目的とする物でロックを叩き又は強打することによる攻撃を受けやすい。従来の技術のシリンダロックにおける更なる不利益な点は、錠止バーが回転する点である。この回転は、二次的構成要素と相互接続することをより困難にする。このように、上述した不利益な点を解消する改良された押ボタン式シリンダロックが望まれる。
【発明の概要】
【０００３】
本発明は、１つの面において、自転車のような物品を固定物に固定する手錠型ロックを提供するものである。該手錠型ロックは、第一及び第二の手錠状部分を備え、該第一及び第二の手錠状部分の各々がハウジングに取り付けられた静止アームと、該静止アームに枢動可能に接続され且つラチェット付き端部を有する旋回アームとを備えている。ハウジングの各々は、旋回アームのラチェット付き端部を受け入れる穴を更に有している。また、ハウジングの各々は、旋回アームのラチェット付き端部に係合する第一の端部を有するばね取り付け式錠止レバーも有している。該ばね取り付け式錠止レバーは、ロックシリンダの軸に係合する肩部を更に有している。
【０００４】
本発明は、第二の面において、内部に回転可能に取り付けられた回転可能なプラグを有するハウジングであって、該ハウジングに固定された固定のプラグを有する上記ハウジングを備えるシリンダロックを提供するものである。非回転可能な軸がハウジング内に摺動可能に取り付けられ、また、錠止位置と非錠止位置との間を摺動可能である。非回転可能な軸は、上記ハウジングの一端から伸びる被作動端部と、上記ハウジングの他端から伸びる掛止端部とを有している。固定のプラグ及び回転可能なプラグの軸方向に整合した１つ又は２つ以上の穴内に１つ又は２つ以上のタンブラピンが受け入れられる。また、１つ又は２つ以上の保持エレメントが非回転可能な軸と係合し得るように配置されている。
【０００５】
本発明は、別の面において、内部に回転可能に配置された回転可能なプラグを有するハウジングであって、該ハウジングに固定された固定のプラグを有する上記ハウジングを備えるシリンダロックを提供するものである。非回転可能な軸は、ハウジング内に摺動可能に取り付けられ、また、錠止位置と非錠止位置との間を摺動可能である。非回転可能な軸は、上記ハウジングの一端から伸びる被作動端部と、上記ハウジング他端から伸びる掛止端部とを有している。１つ又は２つ以上の保持エレメントが上記非回転可能な軸の溝内に係合し得るように配置されている。
【０００６】
本発明の上記及びその他の特徴及び有利な点は、添付図面と共に、以下の詳細な説明及び特許請求の範囲から明らかになるであろう。
【０００７】
全体として、参照番号１０で示した手錠型ロックは、自転車のフレーム及び前輪タイヤのような物品をポールのような固定物に固定するのに有用である。しかし、当該技術分野の当業者に容易に明らかであるその他の多くの用途があるから、本発明は、かかる用途にのみ限定されるものではない。手錠型ロック１０は、第一及び第二の手錠状部分２０、２０´と、第一及び第二のロック本体ハウジング３０、３０´とを備えており、該ロック本体は、以下により詳細に説明するように、互いに接続されている。
【０００８】
手錠状部分２０、２０´の各々は、互いに枢動可能に接続された旋回アーム２２、２２´と、静止アーム２４、２４´とを備えている。旋回アーム２２及び静止アーム２４は、湾曲していることが好ましく、また、互いに接続され且つロック本体ハウジングと協働したとき、円形の穴２３を形成する。静止アームは、互いに機械的に締結された２つ又はより多くの金属プレス成形品２６から成ることが好ましい。金属ブレス成形品２６は、選択的に、一体品として形成された静止アーム２４及びロック本体ハウジング３０を有することができる。静止アーム２４は、旋回アームの第一の穴付き端部３２を受け入れる、整合穴２９を有する第一の端部２８を備えている。リベット又はピン２５、２５´が静止アーム２４及び旋回アーム２２を互いに枢動可能に接合し得るように、これらのアーム２４、２２の整合穴２９、３２内に受け入れられる。
【０００９】
旋回アーム２２は、互いに機械的に接続された２つ又はより多くの金属ブレス成形品の層から成ることが好ましい。旋回アームの第一の端部３２は、湾曲しており且つ静止アームに枢動可能に接続されている。旋回アーム２２の第二の端部３４は、ロック本体ハウジング３０内に配置された、ばね負荷式レバー５０と係合する複数の切欠き３８を有する末端３６を備えている。複数の切欠き３８は、手錠型ロックの調節可能性を提供する。旋回アーム２２の末端３６は、係止レバー５０と係合し得るようロック本体ハウジング３０の横方向穴３９内に受け入れ得るように整合される。旋回アームの末端３６は、旋回アームの末端が横方向穴３９内に挿入されたとき、手錠状部分の締め過ぎを防止し得るようにロック本体ハウジング３０の外端縁４２に係合する選択的な確実ストッパ４０を更に備えている。
【００１０】
ロック本体ハウジング３０は、図３に最も良く図示するように、錠止レバー５０を収容する内側穴５２を更に備えている。錠止レバー５０は、穴５２内に取り付けられ、また、その尖端５４はばね５６によって外方に偏倚されて旋回アーム２２の切欠き又はラチェット付き端部３６と確実に機械的に係合する。このように、ばね取り付け式錠止レバー５０は、多数の錠止位置をとることができるが、ユーザが錠止レバーを固定すべく錠止機構を作動させる迄、固定されない回り止め型動作を提供する。本発明と共に、任意の型式の錠止シリンダを使用することができるが、押ボタン式シリンダを利用することが好ましい。以下により詳細に説明する押ボタン式シリンダ６０を利用することが更に好ましい。押ボタン式シリンダロックは、従来のロックが必要とする鍵を必要とせずに、ユーザが取り付ける目的のため、手錠状部分の各々を開放し、閉じ且つ調節することを可能にする。更に、ユーザがロックの押ボタン機構を作動させるだけでよいから、手錠状部分の各々を錠止するため鍵は不要である。最後に、一度び押ボタンロックが錠止位置に作動されたならば、押ボタンの軸は完全に錠止され且つ物を差込むこことができない。
【００１１】
このように、ロック本体ハウジング３０は、押ボタンシリンダ又はその他の錠止機構を受け入れる穴６２を更に備えている。押ボタンシリンダ６０は、錠止レバー５０に対し垂直に取り付けられている。錠止レバーは、Ｚ字形のプロフィールを備えることが好ましく、また、錠止シリンダの軸６８と係合し得るように配置された肩部６６を有する中間部分６４を更に有している。押ボタンシリンダが押ボタンの外端７０を押すことにより錠止位置に作動されたとき、押ボタン軸の末端６８は、錠止レバーの肩部６６と係合し、錠止レバー５０を錠止又は固定位置に完全に錠止する。
【００１２】
ロックシリンダは、また、ロックの軸が第一の非錠止位置から第二の錠止位置まで回転する回転型ロックシリンダを備えることができる（図示せず）。軸は、錠止位置にて錠止レバー５０の肩部と係合するように配置され、また、肩部と非係合状態となるように非錠止位置まで回転させることができる伸長部を有することができる。
【００１３】
ロック本体ハウジング３０の各々は、ロック本体ハウジング３０の一端７４に回転可能に取り付けられた自在旋回部７２を更に設けることができる。該自在旋回部７２は、手錠状部分の各々が３６０°回転することを可能にする。自在旋回部７２は、ロック本体ハウジングの端部７４から突き出し、また、連結機構８０によって互いに接続される穴７８を有するフランジ付き端部７６を更に備えている。連結機構８０は、手錠状部分を図１３及び図１４に図示するように、コンパクトな位置まで互いに折り畳むこと（すなわち、１８０°の相対的回転）を可能にする。
【００１４】
手錠状部分２０、２０´のロック本体ハウジング３０、３０´、旋回アーム２２、２２´及び静止アーム２４、２４´は、錠止すべき物品への引掻き傷を防止し得るようにビニル、プラスチック又はその他の保護被覆部８２を更に備えることができる。
【００１５】
次に、図４乃至図１２を参照すると、本発明の押ボタンシリンダロック６０が提供される。押ボタンシリンダロック６０は、上述したように、単独で又はバイクロックと組み合わせて使用することができるが、その他の多数の用途があるから、かかる用途にのみ限定されるものではない。押ボタンシリンダロック６０は、回転可能なプラグ１００を受け入れる第一の端部９４と、固定のプラグ１０２を受け入れる第二の端部９６とを有する内側軸方向穴９２を含む外殻体ハウジング９０を備えている。外殻体ハウジング９０、回転可能なプラグ１００及び固定のプラグ１０２は、全て、円筒状の形状であることが好ましい。回転可能なプラグ１００及び固定のプラグ１０２は、互いに同軸状に取り付けられる。固定のプラグ１０２は、ピン１０４を介して外側殻体ハウジングに固定される。回転可能なプラグ１００は、外側殻体ハウジング９０内で回転可能に取り付けられ、また、その内部に摺動可能に取り付けられた押ボタンアクチュエータ１０８を受け入れる軸方向穴１０６を有している。固定のプラグ１０２は、また、押ボタンアクチュエータ１０８を受け入れるべく回転可能なプラグの軸方向穴１０６と整合した内側穴１１０も有している。
【００１６】
押ボタンアクチュエータ１０８は、内部に取り付けられた押ボタンの軸６８を受け入れる軸方向穴１１２を更に備えている。押ボタンの第一の端部１１４は、押ボタンフランジを有し、押ボタンの軸の中間部分は、ばね負荷式リテーナピン１１８を内部に受け入れる横方向穴１１６を有している。ばね負荷式リテーナピン１１８は、押ボタンの軸６８を押ボタンアクチュエータ１０８に固定する。押ボタンアクチュエータ１０８は、１つ又は２つ以上の錠止溝１２０を有する中間部分を更に備えている。押ボタンが錠止位置に作動されたとき、錠止溝１２０の平坦部１２２には、ばね取り付け式の回り止めピン１２４が係合する。好ましくは、２つ又はより多くの回り止めピン１２４が相応する錠止溝１２２に係合するようにする。回り止めピン１２４及び相応する錠止溝は、約９０°乃至約１８０°、より好ましくは、約１４４°乃至約１８０°の範囲に隔てられるようにすることが好ましい。ばね取り付け式回り止めピンは、回転可能なプラグ１００内に配置された半径方向穴１２６内に取り付けられ、また、押ボタンアクチュエータ１０８の軸回転に抵抗する機能を果たす。ばね取り付け式回り止めピン１２４は、上述したように、幾分、対向した状態で取り付けられているため、これらのピンは、また、ロックの打撃抵抗性、すなわち慣性力による攻撃に対する抵抗性を増大させる機能も果たす。したがって、ロックを物で強く打撃したならば、回り止めピン１２４の１つは、その錠止位置外に押出されるかもしれないが、対向したピンは、その錠止溝内に押込まれて、慣性力による攻撃に打ち勝つ。ロックを非錠止状態にするため、回転可能なプラグ１００を回転させたとき、回り止めピン１２４は、対向する錠止溝の平坦部１２０外に回転して、これにより押ボタンアクチュエータ１０８を解放し且つ該アクチュエータがばね作用によって非錠止位置まで軸方向に動くのを許容する。
【００１７】
押ボタンアクチュエータ１０８は、押ボタン軸６８を非錠止位置に偏倚させるばね１３０を更に備えている。ばね１３０の第一の端部１３２は、押ボタンアクチュエータ１０８の第二の端部１３６の穴１３４内に受け入れられ、また、ばね１３０の第二の端部１３８は、固定のプラグ１０２の内側穴の内壁１４０に係合する。押ボタンアクチュエータ１０８の第二の端部１３６は、固定のプラグの内側穴の軸方向溝１４１内に受け入れられ、これにより、押ボタンアクチュエータ１０８及び押ボタン軸６８の回転を阻止する整合脚部１４２を更に備えている。このように、押ボタン軸６８及び押ボタンアクチュエータ１０８は回転しないから、これらの構成要素に対し任意の断面形状が作用可能である。押ボタン軸６８が回転しない特徴を有することの別の有利な点は、突き出す軸を安定的に方位決めする点である。
【００１８】
図１２に図示するように、回転可能なプラグ１００は、固定のプラグ１０２のそれぞれの複数の穴１４６と整合させた複数の軸方向整合穴１４４を更に備えている。２つ又はより多くのばね取り付け式タンブラピン１４８が回転可能なプラグ及び固定のプラグの穴１４４、１４６内に受け入れられている。穴１４４、１４６は、等しい間隔にて円形のパターンの周りで隔てられることが好ましい。穴１４４、１４６は、１０ピン又は３６°の間隔形態にて隔てられることが好ましい。適正な鍵１５０を押ボタンシリンダロック６０内に差込んだとき、鍵の切欠き１５２は、プラグピン１４８を適正な高さに偏倚させ、回転可能なプラグ１００及び固定のプラグ１０２の境界面にてせん断線を発生させ、これにより、回転可能なプラグを回転させ且つロックを開錠することを許容する。
【００１９】
トレパン工具又は穴鋸のような鋸による攻撃から守るため、回転可能なプラグ１００は、図１１に図示するように、軸方向穴、好ましくは「０」及び「５」の穴位置に取り付けられた１つ又は２つ以上の鋸引き抵抗ピン１５５を更に備えていることが更に好ましい。１つ又は２つ以上の鋸引き抵抗ピン１５５は、異なる高さを有し、また、焼入鋼で出来たものであることが更に好ましい。押ボタン軸６８の頭部７０は、押ボタン軸の露出面内に取り付けられたボールベアリング１６０を更に備えることが更に好ましい。ボールベアリングは、球状面が穿孔の開始を困難にするから、押ボタン軸の中心部に穿孔することを遥かに困難にする。
【００２０】
押ボタンロック組立体を施錠するためには、回転可能なプラグ内の保持エレメントが押ボタンアクチュエータのスロットに係合し、これにより、軸を軸方向に固定する迄、ユーザが押ボタン軸のボールベアリング端部を押して、押ボタン軸を軸方向に押し付ける。鍵が、除去されると、タンブラピンがせん断線について非整合状態とされ、回転可能なシリンダの回転を防止するので、回転可能なプラグ及び固定のプラグ内に配置されたピンタンブラ組立体も固定位置にある。押ボタンシリンダの掛止端部は、シリンダから突き出し、錠止レバー６４又はその他の機構に対して所要位置に完全に施錠される。
【００２１】
押ボタンロック組立体を開錠するためには、適正な鍵を差込み、タンブラピンの端部を固定のプラグと回転可能なプラグとの間に存在するせん断線と整合させる。このとき、回転可能なシリンダは、鍵によって回転させることができる。回転可能なシリンダが回転すると、該シリンダは、保持エレメントを錠止回り止め部の平坦部から非係合状態にし、保持エレメントが平坦部からカム動作して外れるようにする。保持エレメントが非係合状態なると、押ボタン軸に作用するばねは押ボタン軸を内方に偏倚させ、押ボタン軸の掛止端部が後退し、これにより錠止レバーのような独立的な機構を非錠止状態にする。次に、鍵をその最初の位置に回転して戻し、除去する。これで、ロック組立体は、再度、施錠の用意が整う。
【００２２】
本発明の好ましい実施の形態を示す且つ説明したが、当該技術分野の当業者には変形例が明らかになることを理解すべきである。従って、本発明は、図示した特定の実施の形態にのみ限定されるものではなく、本発明の真の範囲及び精神は、特許請求の範囲を参照することにより決定されるべきである。
【図面の簡単な説明】
【００２３】
【図１】本発明の手錠型ロックの斜視図である。
【図２】保護被覆部及びシリンダロックを除去した、図１に図示した手錠型ロックの部分分解図である。
【図３】図１に図示した手錠型ロックの一部分の正面断面図である。
【図４】本発明の押ボタンシリンダロックの頂面図である。
【図５】押ボタンシリンダロックの図４の方向５−５の方向に見た側面図である。
【図６】押ボタンシリンダロックの図４の方向６−６の方向に見た側面図である。
【図７】押ボタンアクチュエータの錠止へこみ部と係合した対向する回り止めピンを示す、錠止位置にある押ボタンシリンダロックの図４の方向７−７に見た断面図である。
【図８】押ボタン軸を断面図で示す、非錠止位置にある、押ボタンシリンダロックの図４の断面図である。
【図９】押ボタンアクチュエータの錠止へこみ部と係合した対向する回り止めピンを示す、錠止位置にある押ボタンシリンダロックの図７の断面図である。
【図１０】押ボタンアクチュエータの錠止へこみ部と非係合状態となるように回転した対向する回り止めピンを示す、非錠止位置にある押ボタンシリンダロックの図８の断面図である。
【図１１】回転可能なプラグ内にある鋸引き抵抗ピンを示す、押ボタンシリンダロックが錠止位置にあるときの図４の方向１１−１１に見た断面図である。
【図１２】回転可能なプラグ及び固定のプラグ内にあるタンブラピン及び軸方向穴を示す、押ボタンシリンダロックが錠止位置にあるときの図４の方向１２−１２に見た断面図である。
【図１３】折畳んだ位置にある図１に示した手錠型ロックの側面図である。
【図１４】図１３の折畳んだ手錠型ロックの頂面図である。
【符号の説明】
【００２４】
１０    手錠型ロック
２０    第一の手錠状部分
２０‘  第二の手錠状部分
２２    旋回アーム
２２‘  旋回アーム
２３    円形穴
２４    静止アーム
２４‘  静止アーム
２５    リベット、ピン
２６    金属プレス加工品
２９    整合穴
３０    ロック本体ハウジング
３２    整合穴
３４    旋回アームの第二の端部
３６    旋回アームの末端
３８    複数の切欠き
３９    ロック本体ハウジングの横方向穴
４０    選択的な確実ストッバ
４２    ロック本体ハウジングの外端縁
５０    錠止レバー
５２    内側穴
５４    錠止レバーの尖端
５６    ばね
６０    押ボタンシリンダ
６２    穴
６４    錠止レバーの中間部分
６６    中間部分の肩部
６８    錠止シリンダの軸、軸の末端
７０    押ボタンの外端、押ボタン軸の頭部
７２    自在旋回部
７４    端部
７８    穴
７６    フランジ付き端部
８０    連結機構
８２    保護被覆部
９０    外側殻体ハウジング
９２    殻体ハウジングの軸方向穴
９４    軸方向穴の第一の端部
１００    回転可能なプラグ
１０２    固定のプラグ
１０４    ピン
１０６    回転可能なプラグの軸方向穴
１０８    押ボタンアクチュエータ
１１０    固定のプラグの内側穴
１１２    押ボタンアクチュエータの軸方向穴
１１４    押ボタン軸の第一の端部
１１６    横方向穴
１１８    ばね負荷式リテーナピン
１２０    錠止溝
１２３    平坦部
１２４    回り止めピン
１２６    半径方向穴
１３０    ばね
１４２    整合脚部
１４６    回転可能なプラグの穴
１４８    タンブラピン
１５０    鍵
１５２    鍵の切欠き
１５５    鋸引き抵抗ピン
１６０    ボールベアリング
【国際公開パンフレット】
2004536980.tif 000003
2004536980.tif 000004
2004536980.tif 000005
2004536980.tif 000006
2004536980.tif 000007
2004536980.tif 000008
2004536980.tif 000009
2004536980.tif 000010
2004536980.tif 000011
2004536980.tif 000012
2004536980.tif 000013
2004536980.tif 000014
2004536980.tif 000015
2004536980.tif 000016
2004536980.tif 000017
2004536980.tif 000018
2004536980.tif 000019
2004536980.tif 000020
2004536980.tif 000021
2004536980.tif 000022
2004536980.tif 000023
2004536980.tif 000024
2004536980.tif 000025
2004536980.tif 000026
【国際公開パンフレット（コレクトバージョン）】
2004536980.tif 000027
2004536980.tif 000028
【国際調査報告】
2004536980.tif 000029
2004536980.tif 000030
2004536980.tif 000031
2004536980.tif 000032
2004536980.tif 000033